(57)【要約】【課題】ラベル剥がし具と、キャップをラベルとペットボトル本体の間に係止できる係止具との、両方の機能を同時に得られ、しかも、ラベルとペットボトル本体の間に差し込む作業が容易なペットボトルを提供する。【解決手段】ペットッボトル１のキャップ３に、ラベル剥がし具と係止具を兼ねる頑丈なクリップ５を設ける。ペットッボトル１の本体１１に係止凹部１３を形成する。この係止凹部１３の上に、ラベル１５を縁部が位置するように貼り付ける。この係止凹部１３に、キャップ３のクリップ５を差し込む。よって、差し込んで係止することで、キャップ３をもう片方の手で持つ等の必要がない。さらに、クリップ５は薄くする必要はなく頑丈にできるので、差し込んだ状態で、強く引っ張れば、ラベル１５を容易に剥がすことができる。【選択図】図１
0003157292.tif 000002
【実用新案登録請求の範囲】
【請求項１】
ペットッボトルのキャップに設けられるクリップと、前記ペットッボトルの本体に形成される係止凹部と、この係止凹部の上に縁部が位置するように貼り付けられたラベルと、を有することで、前記クリップが前記縁部に係止できることを特徴とするペットボトル。    
【請求項２】
前記クリップは、前記キャップの上面に設けられ前記キャップの径方向へ開口し、前記係止凹部は、前記クリップの前記径方向の長さよりも長く、前記クリップの幅とほぼ同じ幅を有し、前記ラベルには、前記係止凹部の付近を通るミシン目が形成されていることを特徴とする請求項1に記載のペットボトル。
【考案の詳細な説明】
【技術分野】
【０００１】
この考案は、ペットボトルのキャップと本体の形状や構造に関する。
【背景技術】
【０００２】
知られているように、ペットボトルの年間生産数は250億本で、回収率が62%、再資源化率が37%である。よって、年間６２．５億本のペットボトルが、回収されながらも再利用されずに廃棄されている。その主な原因は、キャップとラベルの未分別にある。このうちキャップを外して廃棄することは比較的に容易であり、再資源化への意識の問題であるが、ラベルを外すのはなかなか困難であり、ラベルつけたまま廃棄されるケースが多い。
【０００３】
また、ペットボトルを飲む時に、キャップをもう片方の手で持つか、どこかに置いておく必要があり、不便である。
これらに対して、下記の先行技術文献に対策が示される。すなわち、下記特許文献１には、ペットボトルのキャップに、ラベル剥がし具設けたものが示される。また、下記特許文献２には、キャップに薄い差し込み部を設け、この差し込み部をラベルとペットボトル本体の間に差し込んで、ペットボトルを飲む時に、キャップをもう片方の手で持つ等の必要のない技術が示される。
【先行技術文献】
【特許文献】
【０００４】
【特許文献１】実用新案登録3115617
【特許文献２】特開2004-115120
【考案の概要】
【考案が解決しようとする課題】
【０００５】
しかしながら、ラベルとペットボトル本体の間には隙間が無く、このため、特許文献１では、ラベル剥がし具をラベルとペットボトル本体の間に、差し込む作業が面倒であり、ラベルを剥がすことは依然として困難である。また、特許文献２も、同様に、差し込み部は薄いものの、ラベルとペットボトル本体の間には、本来、隙間が無いので、差し込む作業は面倒である。
【０００６】
さらに、特許文献１と２の両方の機能を得るためには、頑丈なラベル剥がし具と、薄い差し込み部とを両方備える必要があり、製造上不便であり、製造コストを押し上げてしまう。
この考案は、以上の問題点を解決するために、特許文献１と２の両方の機能を同時に得られ、ラベルとペットボトル本体の間に差し込む作業が容易なペットボトルを提供することを目的とする。
【課題を解決するための手段】
【０００７】
以上の課題を解決するために、第一考案は、ペットッボトルのキャップに設けられるクリップと、前記ペットッボトルの本体に形成される係止凹部と、この係止凹部の上に縁部が位置するように貼り付けられたラベルと、を有することで、前記クリップが前記縁部に係止できることを特徴とするペットボトルである。
また、第二考案は、前記クリップは、前記キャップの上面に設けられ前記キャップの径方向へ開口し、前記係止凹部は、前記クリップの前記径方向の長さよりも長く、前記クリップの幅とほぼ同じ幅を有し、前記ラベルには、前記係止凹部の付近を通るミシン目が形成されていることを特徴とする請求項1に記載のペットボトルである。
【考案の効果】
【０００８】
第一、又は第二考案によれば、ペットッボトル本体の係止凹部の上に、ラベルの縁部が位置するので、この係止凹部に、キャップのクリップを差し込むことで、ラベルとペットボトル本体の間に差し込む作業が容易となる。
また、差し込んで係止することで、キャップをもう片方の手で持つ等の必要がない。さらに、クリップは薄くする必要はなく頑丈にできるので、差し込んだ状態で、強く引っ張れば、ラベルを容易に剥がすことができる。よって、両方の機能を同時に得ることができる。
【０００９】
第二考案によれば、さらに、クリップは、キャップの上面に設けられキャップの径方向へ開口するので、外側へ突出せず邪魔にならない。また、係止した状態で、キャップが外側へ突出せず邪魔にならない。
また、係止凹部は、クリップの径方向の長さよりも長く、その分、クリップを強く引っ張る時に勢いが付きやすく、ラベルをより容易に剥がすことができる。
また、係止凹部は、クリップの幅とほぼ同じ幅を有するので、係止した状態で、ふらつきにくい。
また、ラベルには、係止凹部の付近を通るミシン目が形成されているので、このミシン目に沿って、剥がし易い。
【図面の簡単な説明】
【００１０】
【図１】この考案の一実施形態を示すもので、（Ａ）は全体側面図、（Ｂ）は全体正面図、（Ｃ）はキャップの側面図、（Ｄ）はキャップの平面図、（Ｅ）はキャップを係止機能を発揮した使用図である。
【図２】図１の実施形態をさらに具体化した一実施例を示すもので、図１（Ａ）の斜視図に相当する図である。
【図３】図１の実施形態をさらに具体化した一実施例を示すもので、図１（Ｅ）の斜視図に相当する図である。
【図４】図１の実施形態をさらに具体化した一実施例を示すもので、ラベル剥がし機能を発揮した使用図である。
【考案を実施するための形態】
【００１１】
この考案の実施形態を、図１に示す。
ペットッボトル１のキャップ３にはクリップ５が設けられる。このクリップ５は、細い四角形の板状を有し、キャップ３の上面に平行に設けられ、一端がキャップ５の平面に一体的に固定され、他端が開口する。よって、キャップ３の径方向へ開口する。クリップ５の開口端７の下面には、摩擦突起９が形成され、ラベルに対する係止を強固にする。
【００１２】
ペットッボトル１の本体１１の上方には、係止凹部１３が形成される。この係止凹部１３の上に、ラベル１５の上縁部１７が位置するように、ラベル１５が貼り付けられる。係止凹部１３は、クリップ５の長さ、すなわちキャップ径方向の長さよりも長い。また、クリップ５の幅とほぼ同じ幅を有する。ラベル１５には、係止凹部１３の付近を通るミシン目１９が形成されている。すなわち、ミシン目１９は、係止凹部１３の左右の縁部に沿って２条が互いに平行に形成され、２条ともにラベル１５を上下に横断する。
【００１３】
（実施形態の効果）
以上の実施形態によれば、ペットッボトル本体の係止凹部１３の上に、ラベル１５の縁部が位置する。そこで、クリップ５を、この係止凹部１３にキャップ３の差し込むようにして、ラベル１５とペットボトル本体の間に差し込む（図３）。これにより、クリップ５は、ラベル１５の上縁に簡単にクリップ５し係止する。よって、差し込み作業が容易となる。
【００１４】
また、差し込んで係止することで、キャップ３をもう片方の手で持つ等の必要がない。さらに、クリップ５は薄くする必要はないので、頑丈にできる。頑丈なクリップ５を、差し込んだ状態で、強く引っ張れば、ラベル１５は破れ、容易に剥がすことができる。よって、ラベル剥がし具と係止具の両方の機能を同時に得ることができる。
【００１５】
さらに、クリップ５は、キャップ３の上面に平行に設けられキャップ３の径方向へ開口するので、平らに設けられることになり、キャップ３の外側へ突出せず邪魔にならない（図２）。
また、クリップ５がラベル１５に係止した状態で、キャップ３やラベル１５に略平行に位置することになり、ペットボトル本体の外側へ突出せず邪魔にならない（図３）。
また、係止凹部１３は、クリップ５の径方向の長さよりも長い。その長い分、クリップ５を強く引っ張る時に、助走するような勢いが付きやすく、ラベル１５をより容易に剥がすことができる（図４）。
【００１６】
また、係止凹部１３は、クリップ５の幅とほぼ同じ幅を有するので、係止した状態で、係止凹部１３の内側左右部分へ、クリップ５の外側左右部分が接しやすく、ふらつきにくい。
また、ラベル１５には、係止凹部１３の付近を通るミシン目１９が形成されているので、このミシン目１９に沿って、ラベル１５が簡単に破れ、剥がし易い。
また、係止凹部１３は、ブロー成型の金型修正を行うだけで実現可能なので、係止のための別部材を必要とせず、この別部材の材料費や製造費は不要である。
【００１７】
（他の実施形態）
以上の実施形態では、このクリップ５は、細い四角形の板状を有し、キャップ３の上面に平行に設けられるものであったが、他の実施形態では、クリップ５は、四角形以外の板状、あるいは、棒状などでも良い。また、キャップ３の上面に対し直角又は斜めに設けられるものであっても良い。
【００１８】
以上の実施形態では、係止凹部１３は、ペットッボトル１の本体１１の上方に形成され、この係止凹部１３の上に、ラベル１５の上縁部１７が位置するものであったが、他の実施形態では、係止凹部１３は、ペットッボトル１の本体１１の下方に形成され、この係止凹部１３の上に、ラベル１５の下縁部が位置するもので立っても良い。
【００１９】
以上の実施形態では、ミシン目１９は、２条がされるものであったが、他の実施形態では、１条でも構わない。
【符号の説明】
【００２０】
１…ペットッボトル、３…キャップ、５…クリップ、７…開口端、９…摩擦突起、１１…本体、１３…係止凹部、１５…ラベル、１７…上縁部、１９…ミシン目。
【図１】
0003157292.tif 000003
【図２】
0003157292.tif 000004
【図３】
0003157292.tif 000005
【図４】
0003157292.tif 000006